(57)【要約】【課題】二重印刷の発生を防ぎ、セキュリティを確保することが可能な画像形成システム、画像形成装置及び廃棄装置を提供する。【解決手段】このプリンタ装置（画像形成装置）３は、画像形成に供される用紙から第１の紙指紋データを取得する第１の紙指紋データ取得手段３０１Ａと、第１の紙指紋データが取得された画像形成後の用紙から第２の紙指紋データを取得する第２の紙指紋データ取得手段３０１Ｂと、画像形成動作が中断したとき、第１の紙指紋データが取得された用紙であって、用紙搬送路から抜き取られた画像形成前の用紙から取得された第３の紙指紋データをシュレッダー装置３から受信する裁断済み用紙データ受信手段３０８と、前記第１乃至第３の紙指紋データに基づいて、画像形成動作の再開を指示するジャムリカバリ手段（再開指示手段）３１０とを備える。【選択図】図４
2009058748.tif 000002
【特許請求の範囲】
【請求項１】
用紙に画像形成を行う画像形成手段と、
前記画像形成手段に供給される用紙から前記画像形成の前に当該用紙の表面に沿って分布している固有の特徴を読み取って第１の用紙識別データを取得する第１の用紙識別データ取得手段と、
前記画像形成手段による画像形成後の用紙から第２の用紙識別データを取得する第２の用紙識別データ取得手段と、
用紙の廃棄処理を行う廃棄処理手段と、
前記廃棄処理手段で廃棄処理される用紙から第３の用紙識別データを取得する第３の用紙識別データ取得手段と、
前記第１乃至第３の用紙識別データに基づいて、前記画像形成に供された用紙がすべて前記画像形成されたまたは前記廃棄処理されたと判断されるまで、画像形成動作の中断からの再開を禁止する再開禁止手段とを備えた画像形成システム。
【請求項２】
前記再開禁止手段は、前記第１の用紙識別データを記憶する記憶手段を備え、前記記憶手段に記憶された前記第１の用紙識別データのうち前記第２又は第３の用紙識別データと同一性を有する用紙識別データを消去し、前記記憶手段から全ての前記第１の用紙識別データが消去されまで、画像形成動作の中断からの再開を禁止する請求項１に記載の画像形成システム。
【請求項３】
用紙に画像形成を行う画像形成手段と、
前記画像形成手段に供給される用紙から前記画像形成の前に当該用紙の表面に沿って分布している固有の特徴を読み取って第１の用紙識別データを取得する第１の用紙識別データ取得手段と、
前記画像形成手段による画像形成後の用紙から第２の用紙識別データを取得する第２の用紙識別データ取得手段と、
廃棄処理される用紙から取得された第３の用紙識別データを受信する受信手段と、
前記第１乃至第３の用紙識別データに基づいて、前記画像形成に供された用紙がすべて前記画像形成されたまたは前記廃棄処理されたと判断されるまで、画像形成動作の中断からの再開を禁止する再開禁止手段とを備えた画像形成装置。
【請求項４】
用紙に画像形成を行う画像形成手段と、
前記画像形成手段に供給される用紙から前記画像形成の前に当該用紙の表面に沿って分布している固有の特徴を読み取って第１の用紙識別データを取得する第１の用紙識別データ取得手段と、
前記画像形成手段による画像形成後の用紙から第２の用紙識別データを取得する第２の用紙識別データ取得手段と、
画像形成動作が中断したとき、前記第１及び第２の用紙識別データを送信する送信手段と、
画像形成動作の再開指示信号を受信する受信手段とを備えた画像形成装置。
【請求項５】
投入された用紙から当該用紙の表面に沿って分布している固有の特徴を読み取って第１の用紙識別データを取得する用紙識別データ取得手段と、
前記用紙識別データが取得された前記用紙の廃棄処理を行う廃棄処理手段とを備えた廃棄装置。
【請求項６】
用紙について当該用紙の表面に沿って分布している固有の特徴を読み取って取得された第１及び第２の用紙識別データを受信する受信手段と、
投入された用紙から第３の用紙識別データを取得する用紙識別データ取得手段と、
前記第３の用紙識別データが取得された前記用紙の廃棄処理を行う廃棄処理手段と、
前記第１乃至第３の用紙識別データに基づいて、画像形成動作の中断からの再開を禁止する再開禁止信号を送信する送信手段とを備えた廃棄装置。
【発明の詳細な説明】
【技術分野】
【０００１】
本発明は、画像形成システム、画像形成装置及び廃棄装置に関する。
【背景技術】
【０００２】
従来、ジャム（紙つまり）が検知されたとき、再度原稿画像の読取をしなくても再印刷できるようにした画像形成装置が知られている（例えば、特許文献１参照。）。
【０００３】
この画像形成装置は、ジャムを検知するジャム検知手段と、ジャム検知手段がジャムを検知し、これにより印字動作が停止したとき、滞留紙の枚数（例えば３枚）を割り出し、その枚数に余分の枚数（例えば２枚）を加えたページ数（例えば５枚）分のデータを保持するページバッファと、印字再開を指示するジャムリセットスイッチと、ジャムリセットスイッチによって印字再開が指示されたとき、ページバッファに保持されたデータに基づいて印字を再開する制御手段とを備える。
【０００４】
一方、紙などの固体の表面に沿って分布している固有の特徴（紙指紋とも呼ばれる）を読み取って得たデータに基づき、固体の真偽判定を行う方法が知られている（例えば、特許文献２参照）。
【特許文献１】特開昭６２−１０３１７４号公報
【特許文献２】特開２００５−３８３８９号公報
【発明の開示】
【発明が解決しようとする課題】
【０００５】
本発明の目的は、二重印刷の発生を防ぎ、セキュリティを確保することが可能な画像形成システム、画像形成装置及び廃棄装置を提供することにある。
【課題を解決するための手段】
【０００６】
本発明の一態様は、上記目的を達成するため、以下の画像形成システム、画像形成装置及び廃棄装置を提供する。
【０００７】
［１］用紙に画像形成を行う画像形成手段と、前記画像形成手段に供給される用紙から前記画像形成の前に当該用紙の表面に沿って分布している固有の特徴を読み取って第１の用紙識別データを取得する第１の用紙識別データ取得手段と、前記画像形成手段による画像形成後の用紙から第２の用紙識別データを取得する第２の用紙識別データ取得手段と、用紙の廃棄処理を行う廃棄処理手段と、前記廃棄処理手段で廃棄処理される用紙から第３の用紙識別データを取得する第３の用紙識別データ取得手段と、前記第１乃至第３の用紙識別データに基づいて、前記画像形成に供された用紙がすべて前記画像形成されたまたは前記廃棄処理されたと判断されるまで、画像形成動作の中断からの再開を禁止する再開禁止手段とを備えた画像形成システム。
【０００８】
［２］前記再開禁止手段は、前記第１の用紙識別データを記憶する記憶手段を備え、前記記憶手段に記憶された前記第１の用紙識別データのうち前記第２又は第３の用紙識別データと同一性を有する用紙識別データを消去し、前記記憶手段から全ての前記第１の用紙識別データが消去されまで、画像形成動作の中断からの再開を禁止する前記［１］に記載の画像形成システム。
【０００９】
［３］用紙に画像形成を行う画像形成手段と、前記画像形成手段に供給される用紙から前記画像形成の前に当該用紙の表面に沿って分布している固有の特徴を読み取って第１の用紙識別データを取得する第１の用紙識別データ取得手段と、前記画像形成手段による画像形成後の用紙から第２の用紙識別データを取得する第２の用紙識別データ取得手段と、廃棄処理される用紙から取得された第３の用紙識別データを受信する受信手段と、前記第１乃至第３の用紙識別データに基づいて、前記画像形成に供された用紙がすべて前記画像形成されたまたは前記廃棄処理されたと判断されるまで、画像形成動作の中断からの再開を禁止する再開禁止手段とを備えた画像形成装置。
【００１０】
［４］用紙に画像形成を行う画像形成手段と、前記画像形成手段に供給される用紙から前記画像形成の前に当該用紙の表面に沿って分布している固有の特徴を読み取って第１の用紙識別データを取得する第１の用紙識別データ取得手段と、前記画像形成手段による画像形成後の用紙から第２の用紙識別データを取得する第２の用紙識別データ取得手段と、画像形成動作が中断したとき、前記第１及び第２の用紙識別データを送信する送信手段と、画像形成動作の再開指示信号を受信する受信手段とを備えた画像形成装置。
【００１１】
［５］投入された用紙から当該用紙の表面に沿って分布している固有の特徴を読み取って第１の用紙識別データを取得する用紙識別データ取得手段と、前記用紙識別データが取得された前記用紙の廃棄処理を行う廃棄処理手段とを備えた廃棄装置。
【００１２】
［６］用紙について当該用紙の表面に沿って分布している固有の特徴を読み取って取得された第１及び第２の用紙識別データを受信する受信手段と、投入された用紙から第３の用紙識別データを取得する用紙識別データ取得手段と、前記第３の用紙識別データが取得された前記用紙の廃棄処理を行う廃棄処理手段と、前記第１乃至第３の用紙識別データに基づいて、画像形成動作の中断からの再開を禁止する再開禁止信号を送信する送信手段とを備えた廃棄装置。
【発明の効果】
【００１３】
請求項１に係る画像形成システムによれば、二重印刷の発生を防ぎ、セキュリティを確保することが可能となる。
【００１４】
請求項２に係る画像形成システムによれば、画像形成が未完成の用紙を特定することができる。
【００１５】
請求項３に係る画像形成装置によれば、二重印刷の発生を防ぎ、セキュリティを確保することが可能となる。
【００１６】
請求項４に係る画像形成装置によれば、画像形成装置を廃棄装置によって画像形成動作の再開を制御することができる。
【００１７】
請求項５に係る廃棄装置によれば、二重印刷の発生を防ぎ、セキュリティを確保することが可能となる。
【００１８】
請求項６に係る廃棄装置によれば、画像形成装置を廃棄装置によって画像形成動作の再開を制御することができる。
【発明を実施するための最良の形態】
【００１９】
［第１の実施の形態］
図１は、本発明の第１の実施の形態に係るプリンタシステムが適用された画像形成システムのブロック図である。
【００２０】
このプリンタシステム１は、ジョブを生成する上位装置２と、ジョブを受け付ける画像形成装置としてのプリンタ装置３と、ジャム等によって不要になった用紙を裁断して廃棄する廃棄装置としてのシュレッダー装置４とを備える。上位装置２、プリンタ装置３及びシュレッダー装置４は、例えば、ネットワークによって互いに接続されている。同図では、上位装置２、プリンタ装置３及びシュレッダー装置４をそれぞれ１台図示するが、台数はこれに限定されない。
【００２１】
（プリンタ装置の内部構造）
図２は、第１の実施の形態に係るプリンタ装置の内部構造を示す図である。プリンタ装置３は、像担持体としての感光体ドラム３０と、この感光体ドラム３０を帯電する帯電器３１と、画像データに基づいて感光体ドラム３０に光ビームを出射し、感光体ドラム３０を主走査方向に走査して感光体ドラム３０の周面に静電潜像を形成する光ビーム走査部３２と、Ｙ（イエロー）、Ｍ（マゼンタ）、Ｃ（シアン）、Ｋ（ブラック）の色のトナーをそれぞれ収容する現像器３３Ｙ、３３Ｍ、３３Ｃ、３３Ｋからなり、感光体ドラム３０に形成された静電潜像をＹ、Ｍ、Ｃ、Ｋのいずれかの色のトナーで現像する多色現像器３３と、感光体ドラム３０上のトナー像が転写される転写ベルト３４と、用紙Ｐを収容するとともに、用紙Ｐを用紙搬送路３６に１枚ずつ送り出す用紙トレイ３５とを備える。
【００２２】
また、プリンタ装置３は、用紙搬送路３６に送り出された用紙Ｐの紙指紋画像を読み取る第１の読取部３７Ａと、転写ベルト３４上のトナー像を用紙Ｐに転写し、それを定着する定着器３８と、トナー像が定着された用紙Ｐの紙指紋画像を読み取る第２の読取部３７Ｂと、プリンタ装置３の各部を制御するとともに、画像データに基づいて光ビーム走査部３２を制御するプリンタコントローラ３９とを備える。
【００２３】
第１及び第２の読取部３７Ａ，３７Ｂは、同様に構成されており、光を用紙Ｐに照射する発光器３７０と、発光器３７０から照射され、用紙Ｐで反射した光を受光するラインセンサによる受光器３７１と、受光器３７１の出力信号をアナログ信号からデジタル信号に変換するＡ／Ｄ変換器（図示せず）とを備える。第１の読取部３７Ａは、ジャムが検知されたとき、用紙搬送路３６に残留する用紙Ｐを特定するためのものなので、用紙トレイ３５の直後か用紙トレイ３５に配置されるのが好ましい。
【００２４】
定着器３８は、一対のローラ３８ａ，３８ｂからなり、一対のローラ３８ａ，３８ｂのうち一方にヒータを内蔵しており、加熱、加圧によりトナー像の定着処理を行う。
【００２５】
プリンタコントローラ３９は、プリンタ装置３の各部を制御するとともに、上位装置２及びシュレッダー装置４との間の通信を制御するＣＰＵと、後述する図７に示すようなＣＰＵの制御プログラムを記憶するＲＯＭと、ＣＰＵの作業用データを記憶するＲＡＭと、上位装置２及びシュレッダー装置４と通信するためのインタフェース回路と、上位装置２から送られたジョブに含まれる画像データ（ページデータ）をジョブが完了するまで保持するバッファメモリ３９ａとを備える。
【００２６】
（シュレッダー装置の内部構造）
図３は、第１の実施の形態に係るシュレッダー装置の内部構造を示す図である。シュレッダー装置４は、投入された用紙Ｐを１枚ずつ用紙搬送路４０に送り出すオートフィーダー部４００と、用紙搬送路４０に送り出された用紙Ｐを搬送する搬送ローラ４１Ａ，４１Ｂと、裁断前の用紙Ｐから紙指紋画像を読み取る読取部４２と、用紙Ｐを裁断する裁断部４０４と、裁断された用紙屑を収容する用紙屑収容部４３とを備える。
【００２７】
オートフィーダー部４００は、裁断対象の用紙Ｐが１枚単独で、又は複数枚が積層された状態で置かれる受け板４００ａと、受け板４００ａに置かれた用紙Ｐを１枚ずつ送り出すフィードローラ４００ｂとを備える。
【００２８】
裁断部４０４は、一対の回転刃４０４ａ，４０４ｂと、一対の回転刃４０４ａ，４０４ｂを互いに逆方向に回転させるモータとを備え、一対の回転刃４０４ａ，４０４ｂ間に搬送された用紙Ｐを回転刃４０４ａ，４０４ｂの回転によって細かく裁断するように構成されている。なお、裁断部４０４は、紙を千切る等の手段に置き換えてもよい。
【００２９】
読取部４２は、図２に示すプリンタ装置３の第１及び第２の読取部３７Ａ，３７Ｂと同様に構成され、発光器４２０、受光器４２１およびＡ／Ｄ変換器を備える。
【００３０】
（プリンタ装置の制御系）
図４は、第１の実施の形態に係るプリンタ装置の制御系を示すブロック図である。プリンタ装置３のプリンタコントローラ３９は、セキュリティジョブ受付手段３００、第１及び第２の紙指紋データ取得手段（第１及び第２の用紙識別データ取得手段）３０１Ａ，３０１Ｂ、紙指紋データ格納手段３０２、紙指紋データ保持手段３０３、画像定着手段３０４、第１及び第２の紙指紋データ照合手段３０５Ａ，３０５Ｂ、用紙排出確認手段３０６、ジャム検知手段３０７、裁断済み用紙データ受信手段３０８、裁断完了判定手段３０９、及びジャムリカバリ手段（再開指示手段）３１０を備える。
【００３１】
セキュリティジョブ受付手段３００は、通常のジョブの他に、個人情報等の秘密性の高いデータを含むセキュリティ指定のジョブを受け付ける。
【００３２】
第１及び第２の紙指紋データ取得手段３０１Ａ，３０１Ｂは、図２に示す位置に配置された第１及び第２の読取部３７Ａ，３７Ｂによって得られた紙指紋画像から、用紙Ｐの表面に沿って分布している固有の特徴としての紙指紋データを取得する。
【００３３】
紙指紋データ格納手段３０２は、第１の紙指紋データ取得手段３０１Ａによって取得された紙指紋データを紙指紋データ保持手段３０３に格納する。
【００３４】
紙指紋データ保持手段３０３は、ＲＯＭ、ＲＡＭ、ＨＤＤ等からなり、紙指紋データが格納される。
【００３５】
画像定着手段３０４は、定着器３８を制御してトナー像の定着処理を行う。
【００３６】
第１の紙指紋データ照合手段３０５Ａは、紙指紋データ保持手段３０３が保持する紙指紋データと、第２の紙指紋データ取得手段３０１Ｂによって取得された紙指紋データとを比較し照合する。第２の紙指紋データ照合手段３０５Ｂは、紙指紋データ保持手段３０３が保持する紙指紋データと、裁断済み用紙データ受信手段３０８がシュレッダー装置４から受信した紙指紋データとを比較し照合する。そして第１及び第２の紙指紋データ照合手段３０５Ａ，３０５Ｂは、紙指紋データのうち所定の割合（例えば８０％）以上が一致したとき、同一と判定する。
【００３７】
用紙排出確認手段３０６は、第１の紙指紋データ照合手段３０５Ａによって同一と判定された紙指紋データを紙指紋データ保持手段３０３から削除して、印刷未完了用紙の印刷完了を確認し記録する。
【００３８】
ジャム検知手段３０７は、図２に示す用紙搬送路３６の各部に配置され、用紙を検出する複数のフォトセンサと、各フォトセンサの出力信号に基づいて用紙間の時間間隔が所定の時間を超えたとき、ジャムが発生したことを検知する検知回路とを備える。
【００３９】
裁断済み用紙データ受信手段３０８は、シュレッダー装置４から裁断済みの用紙Ｐの紙指紋データを受信する。
【００４０】
裁断完了判定手段３０９は、紙指紋データ保持手段３０３に保持されている印刷未完了用紙の紙指紋データとシュレッダー装置４から受信した裁断済み用紙紙指紋データとの照合結果からすべての印刷未完了用紙の裁断が完了したか否かを判定する。
【００４１】
ジャムリカバリ手段３１０は、一般的なプリンタ装置のジャムリカバリ処理に加え、裁断完了判定手段３０９から裁断完了通知がされるまで、バッファメモリ３９ａに保持していた印刷未完了の画像データの印刷の再開を禁止する。
【００４２】
（紙指紋データの読取方法）
図５（ａ）は、第１及び第２の紙指紋データ取得手段３０１Ａ，３０１Ｂによる紙指紋データの読取位置を示す図、図５（ｂ）は、紙指紋データの一例を示す図である。
【００４３】
紙指紋データの読取位置５０は、ジャムにより用紙Ｐに破れ、皺、折れ等が発生しても、完全な紙指紋データを取得できるように、用紙Ｐ上の複数箇所に設定されており、各読取位置５０は、例えば、用紙Ｐの左上の角ａを原点とする座標（ｘ１，ｙ１）、（ｘ２，ｙ２）、（ｘ３，ｙ３）、（ｘ４，ｙ４）、（ｘ５，ｙ５）、（ｘ６，ｙ６）、（ｘ７，ｙ７）、（ｘ８，ｙ８）で表わすことができる。また、読取位置５０を中心として所定の範囲に読取領域５１が設定されている。読取領域５１のサイズは、例えば、３２×３２ドット（約２ｍｍ×約２ｍｍ）である。
【００４４】
各読取領域５１は、図５（ｂ）に示すように、例えば、８×８ドットの小領域５２に分割されている。第１及び第２の紙指紋データ取得手段３０１Ａ，３０１Ｂは、受光器３７１が読み取った紙指紋画像から、小領域５２毎に画素値（明度）の平均値を求め、平均明度に応じて１〜１６の順位を与え、順位１０〜１６を順位Ａ〜Ｇに置き換えた分類データを紙指紋データとして生成する。図５（ｂ）は、その分類データの一例を示す図である。同図に示す分類データは、「Ｄ５３１９４６２７ＥＢ８ＡＦＣＧ」である。なお、読取領域５１の形状は、矩形でも円形でもよい。
【００４５】
（シュレッダー装置の制御系）
図６は、第１の実施の形態に係るシュレッダー装置の制御系を示すブロック図である。シュレッダー装置４は、図３に示したオートフィーダー部４００及び裁断部４０４の他に、シュレッダー装置４の各部を制御するシュレッダーコントローラ４４を備える。
【００４６】
シュレッダーコントローラ４４は、第１及び第２の紙指紋データ取得手段３０１Ａ，３０１Ｂと同様に構成され、裁断前の用紙Ｐの紙指紋データを読取部４２により読み取る紙指紋データ取得手段（第３の用紙識別データ取得手段）４０１と、紙指紋データ取得手段４０１によって取得された紙指紋データを紙指紋データ保持手段４０３に格納する紙指紋データ格納手段４０２と、ＲＯＭ、ＲＡＭ、ＨＤＤ等からなり、紙指紋データを記憶する紙指紋データ保持手段４０３と、紙指紋データ保持手段４０３から裁断された用紙Ｐの紙指紋データを取得する裁断済み用紙データ取得手段４０５と、裁断済み用紙データ取得手段により取得した紙指紋データをプリンタ装置３に送信する裁断済み用紙データ送信手段４０６とを備える。
【００４７】
紙指紋データ取得手段４０１は、第１及び第２の紙指紋データ取得手段３０１Ａ，３０１Ｂと同様に構成され、裁断前の用紙Ｐの紙指紋データを読取部４２により取得する。
【００４８】
紙指紋データ格納手段４０２は、紙指紋データ取得手段４０１によって取得された紙指紋データを紙指紋データ保持手段４０３に格納する。
【００４９】
紙指紋データ保持手段４０３は、ＲＯＭ、ＲＡＭ、ＨＤＤ等からなり、紙指紋データを記憶する。
【００５０】
裁断済み用紙データ取得手段４０５は、紙指紋データ保持手段４０３から裁断された用紙Ｐの紙指紋データを取得する。
【００５１】
裁断済み用紙データ送信手段４０６は、裁断済み用紙データ取得手段４０５により取得した紙指紋データをプリンタ装置３に送信する。
【００５２】
シュレッダーコントローラ４４は、シュレッダー装置４の各部を制御するとともに、上位装置２及びプリンタ装置３との間の通信を制御するＣＰＵと、後述する図８に示すようなＣＰＵの制御プログラムを記憶するＲＯＭと、ＣＰＵの作業用データを記憶するＲＡＭと、上位装置２及びプリンタ装置３と通信するためのインタフェース回路とを備える。
【００５３】
（第１の実施の形態に係るプリンタ装置の動作）
図７は、第１の実施の形態に係るプリンタ装置の動作を示すフローチャートである。
【００５４】
（１）印刷処理
プリンタ装置３は、上位装置２からジョブを受け取ると、プリンタ装置３のセキュリティジョブ受付手段３００は、上位装置２から受け取ったジョブがセキュリティ指定のジョブか否かを判定し（Ｓ１０）、セキュリティ指定のジョブの場合は（Ｓ１０：Ｙｅｓ）、以下に説明する処理を行う。なお、ジョブに含まれる画像データは、プリンタコントローラ３９のバッファメモリ３９ａに保持される。
【００５５】
用紙トレイ３５から用紙Ｐを用紙搬送路３６に引き込み（Ｓ１１）、第１の紙指紋データ取得手段３０１Ａにより用紙Ｐの紙指紋データを取得する（Ｓ１２）。紙指紋データ格納手段３０２は、第１の紙指紋データ取得手段３０１Ａにより取得された紙指紋データを紙指紋データ保持手段３０３に格納する（Ｓ１３）。
【００５６】
プリンタコントローラ３９は、画像データに基づいて光ビーム走査部３２を制御して感光体ドラム３０に静電潜像を形成する。多色現像器３３は、感光体ドラム３０に形成された静電潜像をＹ、Ｍ、Ｃ、Ｋのいずれかの色のトナーで現像する。感光体ドラム３０上のトナー像は、転写ベルト３４に転写される。トナー像が転写ベルト３４から用紙Ｐに転写された後、画像定着手段３０４の制御による定着器３８によりトナー像が用紙Ｐに定着される（Ｓ１４）。トナー像が定着された用紙Ｐが排出されるとき、第２の紙指紋データ取得手段３０１Ｂは、その用紙Ｐから紙指紋データを取得する（Ｓ１５）。
【００５７】
第１の紙指紋データ照合手段３０５Ａは、紙指紋データ保持手段３０３から紙指紋データを取り出し（Ｓ１６）、第２の紙指紋データ取得手段３０１Ｂによって取得された紙指紋データが紙指紋データ保持手段３０３が保持する紙指紋データのいずれかと一致するか否かを判定する（Ｓ１７）。一致している場合は（Ｓ１７：Ｙｅｓ）、用紙排出確認手段３０６は、その一致している紙指紋データを紙指紋データ保持手段３０３から削除する（Ｓ１８）。このようにして印刷処理が完了する。
【００５８】
なお、上記ステップＳ１０において、セキュリティ指定のジョブでない場合は（Ｓ１０：Ｎｏ）、指紋データの読み取りを行わない通常の印刷処理を行う（Ｓ１９）。また、上記ステップＳ１７において、一致しない場合は（Ｓ１７：Ｎｏ）、警告表示等の例外処理を行う（Ｓ２０）。
【００５９】
（２）ジャム検知後の処理
ジャム検知手段３０７がジャムを検知したとき、裁断済み用紙データ受信手段３０８は、シュレッダー装置４から裁断済み用紙の紙指紋データを受信する（Ｓ２１）。第２の紙指紋データ照合手段３０５Ｂは、紙指紋データ保持手段３０３が保持する紙指紋データを取り出し（Ｓ２２）、その取り出した紙指紋データのいずれかと裁断済み用紙データ受信手段３０８が受信した紙指紋データとが一致するか否かを判定する（Ｓ２３）。一致している場合は（Ｓ２３：Ｙｅｓ）、第２の紙指紋データ照合手段３０５Ｂは、その一致している紙指紋データを紙指紋データ保持手段３０３から削除する（Ｓ２４）。
【００６０】
裁断完了判定手段３０９は、紙指紋データ保持手段３０３が紙指紋データを保持しているか否かにより、すべての印刷未完了用紙の裁断が完了したか否かを判定する（Ｓ２５）。紙指紋データ保持手段３０３が紙指紋データを保持していないとき、すなわち未裁断用紙が存在しないときは（Ｓ２５：Ｙｅｓ）、その旨をジャムリカバリ手段３１０に通知する。ジャムリカバリ手段３１０は、ジャムリカバリ処理を行う（Ｓ２６）。ジャムリカバリ処理終了後は、ステップＳ１１へ進む。
【００６１】
上記ステップＳ２３において、一致しない場合は（Ｓ２３：Ｎｏ）、警告表示等の例外処理を行う（Ｓ２７）。
【００６２】
（第１の実施の形態に係るシュレッダー装置の動作）
図８は、第１の実施の形態に係るシュレッダー装置の動作を示すフローチャートである。シュレッダー装置４のオートフィーダー部４００は、受け板４００ａに用紙Ｐが置かれると、フィードローラ４００ｂによって用紙Ｐを用紙搬送路４０に引き込む（Ｓ３０）。紙指紋データ取得手段４０１は、用紙Ｐから紙指紋データを取得する（Ｓ３１）。紙指紋データ格納手段４０２は、紙指紋データ取得手段４０１によって取得された紙指紋データを紙指紋データ保持手段４０３に格納する（Ｓ３２）。裁断部４０４は、用紙Ｐを裁断する（Ｓ３３）。
【００６３】
受け板４００ａに用紙Ｐが存在する場合は（Ｓ３４：Ｙｅｓ）、上記ステップＳ３０〜Ｓ３３を繰り返す。受け板４００ａに用紙Ｐが存在しなくなると（Ｓ３４：Ｎｏ）、裁断済み用紙データ取得手段４０５は、紙指紋データ保持手段４０３から裁断された用紙Ｐの紙指紋データを取得する（Ｓ３５）。裁断済み用紙データ送信手段４０６は、裁断済み用紙データ取得手段４０５により取得した紙指紋データをプリンタ装置３に送信する（Ｓ３６）。
【００６４】
［第２の実施の形態］
図９は、本発明の第２の実施の形態に係るプリンタ装置の制御系を示すブロック図である。第１の実施の形態では、裁断完了判定手段をプリンタ装置に設けたが、本実施の形態は、裁断完了判定手段をシュレッダー装置に設けたものであり、他の主な構成は第１の実施の形態と同様である。
【００６５】
本実施の形態のプリンタ装置３のプリンタコントローラ３９は、第１の実施の形態と同様に、セキュリティジョブ受付手段３００、第１及び第２の紙指紋データ取得手段３０１Ａ，３０１Ｂ、紙指紋データ格納手段３０２、紙指紋データ保持手段３０３、画像定着手段３０４、第１の紙指紋データ照合手段３０５Ａ、用紙排出確認手段３０６、ジャム検知手段３０７、及びジャムリカバリ手段３１０を備え、さらに、未排出データ取得手段３１１、未排出データ送信手段３１２、及び判定ステイタス受信手段３１３を備える。
【００６６】
未排出データ取得手段３１１は、紙指紋データ保持手段３０３から未排出用紙（画像定着前の用紙）の紙指紋データをすべて取得する。
【００６７】
未排出データ送信手段３１２は、未排出データ取得手段３１１が取得した未排出用紙の紙指紋データをシュレッダー装置４に送信する。
【００６８】
判定ステイタス受信手段３１３は、シュレッダー装置４から未排出用紙の裁断完了判定のステイタスを受信する。
【００６９】
プリンタコントローラ３９は、プリンタ装置３の各部を制御するとともに、上位装置２及びシュレッダー装置４との間の通信を制御するＣＰＵと、後述する図１１に示すようなＣＰＵの制御プログラムを記憶するＲＯＭと、ＣＰＵの作業用データを記憶するＲＡＭと、上位装置２及びシュレッダー装置４と通信するためのインタフェース回路と、上位装置２から送られたジョブに含まれる画像データをジョブが完了するまで保持するバッファメモリ３９ａとを備える。
【００７０】
図１０は、本発明の第２の実施の形態に係るシュレッダー装置の制御系を示すブロック図である。第１の実施の形態では、裁断完了判定手段をプリンタ装置に設けたが、本実施の形態は、裁断完了判定手段をシュレッダー装置に設けたものであり、他の主な構成は第１の実施の形態と同様である。
【００７１】
本実施の形態のシュレッダー装置４のシュレッダーコントローラ４４は、第１の実施の形態と同様に、紙指紋データ取得手段４０１及び紙指紋データ保持手段（第３の紙指紋データ取得手段）４０３を備え、さらに、未排出データ受信手段４１０、未排出データ格納手段４１１、紙指紋データ照合手段４１２、紙指紋データ更新手段４１３、未排出用紙裁断完了判定手段４１４、及び判定ステイタス送信手段４１５を備える。
【００７２】
未排出データ受信手段４１０は、プリンタ装置３から未排出用紙の紙指紋データを受信する。
【００７３】
未排出データ格納手段４１１は、プリンタ装置３から受信した未排出用紙の紙指紋データを紙指紋データ保持手段４０３に格納する。
【００７４】
紙指紋データ照合手段４１２は、読み取った紙指紋データが紙指紋データ保持手段４０３に格納されている未排出用紙の紙指紋データと一致するか否かの照合を行う。
【００７５】
紙指紋データ更新手段４１３は、読み取った紙指紋データが紙指紋データ保持手段４０３に格納されている未排出用紙の紙指紋データと一致する場合に、紙指紋データ保持手段４０３からその紙指紋データのエントリーを削除する。
【００７６】
未排出用紙裁断完了判定手段４１４は、紙指紋データ保持手段４０３に格納されている未排出用紙の紙指紋データを確認することにより、未排出用紙の裁断処理が完了したかを判断する。
【００７７】
判定ステイタス送信手段４１５は、未排出用紙裁断完了判定手段４１４の判定結果をプリンタ装置３に送信する。
【００７８】
シュレッダーコントローラ４４は、シュレッダー装置４の各部を制御するとともに、上位装置２及びプリンタ装置３との間の通信を制御するＣＰＵと、後述する図１２に示すようなＣＰＵの制御プログラムを記憶するＲＯＭと、ＣＰＵの作業用データを記憶するＲＡＭと、上位装置２及びプリンタ装置３と通信するためのインタフェース回路とを備える。
【００７９】
（第２の実施の形態に係るプリンタ装置の動作）
図１１は、第２の実施の形態に係るプリンタ装置の動作を示すフローチャートである。なお、第１の実施の形態と同一のステップについては、同一のステップ番号を用いる。
【００８０】
（１）印刷処理
プリンタ装置３は、第１の実施の形態と同様に、ジョブがセキュリティ指定のジョブか否かが判定され（Ｓ１０）、セキュリティ指定のジョブの場合は（Ｓ１０：Ｙｅｓ）、用紙Ｐの引き込み（Ｓ１１）、第１の紙指紋データ取得手段３０１Ａによる紙指紋データの取得（Ｓ１２）、紙指紋データの格納（Ｓ１３）、画像定着処理（Ｓ１４）、第２の紙指紋データ取得手段３０１Ｂによる紙指紋データの読み取り（Ｓ１５）が行われる。
【００８１】
続いて、第１の実施の形態と同様に、第２の紙指紋データ取得手段３０１Ｂによって読み取られた紙指紋データが紙指紋データ保持手段３０３が保持する紙指紋データのいずれかと一致するか否かが判定され（Ｓ１６、Ｓ１７）。一致している場合は（Ｓ１７：Ｙｅｓ）、その一致している紙指紋データを紙指紋データ保持手段３０３から削除する（Ｓ１８）。このようにして印刷処理が完了する。
【００８２】
なお、上記ステップＳ１０において、セキュリティ指定のジョブでない場合は（Ｓ１０：Ｎｏ）、通常の印刷処理を行う（Ｓ１９）。また、上記ステップＳ１７において、一致しない場合は（Ｓ１７：Ｎｏ）、警告表示等の例外処理を行う（Ｓ２０）。
【００８３】
（２）ジャム検知後の処理
ジャム検知手段３０７がジャムを検知したとき、未排出データ取得手段３１１は、紙指紋データ保持手段３０３から未排出用紙（画像定着前の用紙）の紙指紋データをすべて取得する（Ｓ４０）。未排出データ送信手段３１２は、未排出データ取得手段３１１が取得した未排出用紙の紙指紋データをシュレッダー装置４に送信する（Ｓ４１）。
【００８４】
判定ステイタス受信手段３１３は、シュレッダー装置４から未排出用紙の裁断完了判定のステイタスを受信し（Ｓ４２）、裁断が完了したか否かを判定し（Ｓ４３）、裁断が完了していれば（Ｓ４３：Ｙｅｓ）、紙指紋データ保持手段３０３が保持している未排出用紙の紙指紋データを削除し（Ｓ４４）、裁断が完了した旨をジャムリカバリ手段３１０に通知する。ジャムリカバリ手段３１０は、ジャムリカバリ処理を行う（Ｓ４５）。ジャムリカバリ処理終了後は、ステップＳ１１へ進む。
【００８５】
（第２の実施の形態に係るシュレッダー装置の動作）
図１２は、第２の実施の形態に係るシュレッダー装置の動作を示すフローチャートである。
【００８６】
シュレッダー装置４の未排出データ受信手段４１０は、プリンタ装置３から未排出用紙の紙指紋データを受信すると（Ｓ５０）、未排出データ格納手段４１１は、プリンタ装置３から受信した未排出用紙の紙指紋データを紙指紋データ保持手段４０３に格納する（Ｓ５１）。未排出用紙裁断完了判定手段４１４は、裁断部４０４からの信号に基づいて裁断が行われたか否かを判定し（Ｓ５２）、裁断が行われたと判定したときは（Ｓ５２：Ｙｅｓ）、紙指紋データ保持手段４０２に紙指紋データが残っているか否かを判定し（Ｓ５３）、残っていれば（Ｓ５３：Ｙｅｓ）、判定ステイタス送信手段４１５は、未完了ステイタスをプリンタ装置３に送信し（Ｓ５４）、残っていなければ（Ｓ５３：Ｎｏ）、判定ステイタス送信手段４１５は、完了ステイタスをプリンタ装置３に送信する（Ｓ５５）。
【００８７】
シュレッダー装置４のオートフィーダー部４００は、受け板４００ａに用紙Ｐが置かれると、フィードローラ４００ｂによって用紙Ｐを引き込む（Ｓ６０）。紙指紋データ取得手段４０１は、用紙Ｐから紙指紋データを取得する（Ｓ６１）。紙指紋データ照合手段４１２は、紙指紋データ保持手段４０３が保持する紙指紋データを取り出し、その取り出した紙指紋データのいずれかと紙指紋データ取得手段４０１によって読み取られた裁断済み前の紙指紋データとが一致するか否かを判定する（Ｓ６２）。一致している場合は（Ｓ６３：Ｙｅｓ）、紙指紋データ更新手段４１３は、その一致している紙指紋データを紙指紋データ保持手段４０３から削除する（Ｓ６４）。
【００８８】
裁断部４０４は、用紙Ｐを裁断する（Ｓ６５）。受け板４００ａに用紙Ｐが存在する場合は（Ｓ６６：Ｙｅｓ）、上記ステップＳ６０〜Ｓ６６を繰り返す。受け板４００ａに用紙Ｐが存在しなくなると（Ｓ６６：Ｎｏ）、処理が終了する。
【００８９】
なお、上記ステップＳ６３において、一致しない場合は（Ｓ６３：Ｎｏ）、警告表示等の例外処理を行う（Ｓ６７）。
【００９０】
［第３の実施の形態］
図１３は、本発明の第３の実施の形態に係る画像形成システムが適用されたプリンタシステムのブロック図である。
【００９１】
本実施の形態は、複数のプリンタ装置３に対し、シュレッダー装置４を共用化したものであり、他は第２の実施の形態と同様に構成されている。
【００９２】
本実施の形態のプリンタシステム１は、ジョブを生成する複数の上位装置２と、ジョブを受け付ける複数のプリンタ装置３と、ジャム等によって不要になった用紙Ｐを裁断するシュレッダー装置４とを備える。上位装置２、プリンタ装置３及びシュレッダー装置４は、例えば、ネットワークによって互いに接続されている。
【００９３】
図１４は、本発明の第３の実施の形態に係るプリンタ装置の制御系を示すブロック図である。本実施の形態のプリンタ装置３は、第２の実施の形態に係るプリンタ装置３に対し、自己を特定するプリンタＩＤを記憶するプリンタＩＤメモリ３１４を付加したものであり、他は第２の実施の形態と同様に構成されている。
【００９４】
プリンタコントローラ３９は、プリンタ装置３の各部を制御するとともに、上位装置２及びシュレッダー装置４との間の通信を制御するＣＰＵと、後述する図１６に示すようなＣＰＵの制御プログラムを記憶するＲＯＭと、ＣＰＵの作業用データを記憶するＲＡＭと、上位装置２及びシュレッダー装置４と通信するためのインタフェース回路と、上位装置２から送られたジョブに含まれる画像データをジョブが完了するまで保持するバッファメモリ３９ａとを備える。
【００９５】
図１５は、第３の実施の形態に係るシュレッダー装置の制御系を示すブロック図である。本実施の形態のシュレッダー装置４は、第２の実施の形態のシュレッダー装置４の未排出データ受信手段４１６の代わりに、プリンタＩＤ及び未排出データ受信手段４１７を設け、未排出データ格納手段４１１の代わりに、データ格納手段４１８を設けたものであり、他は第２の実施の形態と同様に構成されている。
【００９６】
シュレッダーコントローラ４４は、シュレッダー装置４の各部を制御するとともに、上位装置２及びプリンタ装置３との間の通信を制御するＣＰＵと、後述する図１７に示すようなＣＰＵの制御プログラムを記憶するＲＯＭと、ＣＰＵの作業用データを記憶するＲＡＭと、上位装置２及びプリンタ装置３と通信するためのインタフェース回路とを備える。
【００９７】
（第３の実施の形態に係るプリンタ装置の動作）
図１６は、第３の実施の形態に係るプリンタ装置の動作を示すフローチャートである。なお、第１、第２の実施の形態と同一のステップについては、同一のステップ番号を用いる。
【００９８】
（１）印刷処理
プリンタ装置３は、第１、第２の実施の形態と同様に、ジョブがセキュリティ指定のジョブか否かが判定され（Ｓ１０）、セキュリティ指定のジョブの場合は（Ｓ１０：Ｙｅｓ）、用紙Ｐの引き込み（Ｓ１１）、第１の紙指紋データ取得手段３０１Ａによる紙指紋データの取得（Ｓ１２）、紙指紋データの格納（Ｓ１３）、画像定着処理（Ｓ１４）、第２の紙指紋データ取得手段３０１Ｂによる紙指紋データの読み取り（Ｓ１５）が行われる。
【００９９】
続いて、第１、第２の実施の形態と同様に、第２の紙指紋データ取得手段３０１Ｂによって取得された紙指紋データが紙指紋データ保持手段３０３が保持する紙指紋データのいずれかと一致するか否かが判定され（Ｓ１６、Ｓ１７）。一致している場合は（Ｓ１７：Ｙｅｓ）、その一致している紙指紋データを紙指紋データ保持手段３０３から削除する（Ｓ１８）。このようにして印刷処理が完了する。
【０１００】
なお、上記ステップＳ１０において、セキュリティ指定のジョブでない場合は（Ｓ１０：Ｎｏ）、通常の印刷処理を行う（Ｓ１９）。また、上記ステップＳ１７において、一致しない場合は（Ｓ１７：Ｎｏ）、警告表示等の例外処理を行う（Ｓ２０）。
【０１０１】
（２）ジャム検知後の処理
ジャム検知手段３０７がジャムを検知したとき、未排出データ取得手段３１１は、紙指紋データ保持手段３０３から未排出用紙（画像定着前の用紙）の紙指紋データをすべて取得する（Ｓ４０）。未排出データ送信手段３１２は、プリンタＩＤメモリ３１４からプリンタＩＤを取得し（Ｓ４１ａ）、未排出データ取得手段３１１が取得した未排出用紙の紙指紋データ、及びプリンタＩＤをシュレッダー装置４に送信する（Ｓ４１ｂ）。
【０１０２】
判定ステイタス受信手段３１３は、第２の実施の形態と同様に、シュレッダー装置４から未排出用紙の裁断完了判定のステイタスを受信し（Ｓ４２）、裁断が完了したか否かを判定し（Ｓ４３）、裁断が完了していれば（Ｓ４３：Ｙｅｓ）、紙指紋データ保持手段３０３が保持している未排出シートの紙指紋データを削除し（Ｓ４４）、裁断が完了した旨をジャムリカバリ手段３１０に通知する。ジャムリカバリ手段３１０は、ジャムリカバリ処理を行う（Ｓ４５）。
【０１０３】
（第３の実施の形態に係るシュレッダー装置の動作）
図１７は、第３の実施の形態に係るシュレッダー装置の動作を示すフローチャートである。第２の実施の形態と同一のステップには、同一のステップ番号を用いる。
【０１０４】
シュレッダー装置４のプリンタＩＤ及び未排出データ受信手段４１７は、プリンタ装置３からプリンタＩＤ及び未排出用紙の紙指紋データを受信すると（Ｓ５０ａ）、データ格納手段４１８は、プリンタＩＤを紙指紋データ保持手段４０３に登録し（Ｓ５０ｂ）、未排出用紙の紙指紋データを紙指紋データ保持手段４０３に格納する（Ｓ５１）。未排出用紙裁断完了判定手段４１４は、裁断部４０４からの信号に基づいて裁断が行われたか否かを判定し（Ｓ５２）、裁断が行われたと判定したときは（Ｓ５２：Ｙｅｓ）、紙指紋データ保持手段４０３に登録されたプリンタＩＤに対応する紙指紋データが残っているか否かを判定し（Ｓ５３ａ）、残っていれば（Ｓ５３ａ：Ｙｅｓ）、判定ステイタス送信手段４１５は、プリンタＩＤで特定されたプリンタ装置３に対し、未完了ステイタスを送信し（Ｓ５４ａ）、残っていなければ（Ｓ５３ａ：Ｎｏ）、判定ステイタス送信手段４１５は、プリンタＩＤで特定されたプリンタ装置３に対し、完了ステイタスを送信する（Ｓ５５ａ）し、紙指紋データ保持手段４０３からプリンタＩＤを抹消する。
【０１０５】
シュレッダー装置４のオートフィーダー部４００は、第２の実施の形態と同様に、受け板４００ａに用紙Ｐが置かれると、フィードローラ４００ｂによって用紙Ｐを引き込む（Ｓ６０）。紙指紋データ取得手段４０１は、用紙Ｐから紙指紋データを読み取る（Ｓ６１）。紙指紋データ照合手段４１２は、紙指紋データ保持手段４０３が保持する紙指紋データを取り出し、その取り出した紙指紋データのいずれかと紙指紋データ取得手段４０１によって読み取られた裁断済み前の紙指紋データとが一致するか否かを判定する（Ｓ６２）。一致している場合は（Ｓ６３：Ｙｅｓ）、紙指紋データ更新手段４１３は、その一致している紙指紋データを紙指紋データ保持手段４０３から削除する（Ｓ６４）。裁断部４０４は、用紙Ｐを裁断する（Ｓ６５）。
【０１０６】
受け板４００ａに用紙Ｐが存在する場合は（Ｓ６６：Ｙｅｓ）、上記ステップＳ６０〜Ｓ６６を繰り返す。受け板４００ａに用紙Ｐが存在しなくなると（Ｓ６６：Ｎｏ）、処理が終了する。
【０１０７】
なお、上記ステップＳ６３において、一致しない場合は（Ｓ６３：Ｎｏ）、警告表示等の例外処理を行う（Ｓ６７）。
【０１０８】
［他の実施の形態］
なお、本発明は、上記各実施の形態に限定されず、本発明の趣旨を逸脱しない範囲内で種々な変形が可能であり、本発明の趣旨を逸脱しない範囲内で各実施の形態間の構成要素を任意に組み合わせることができる。
【０１０９】
例えば、上記各実施の形態では、画像形成動作が中断する例として、ジャムについて説明したが、停電等による中断でもよい。
【図面の簡単な説明】
【０１１０】
【図１】図１は、本発明の第１の実施の形態に係るプリンタシステムが適用された画像形成システムのブロック図である。
【図２】図２は、第１の実施の形態に係るプリンタ装置の内部構造を示す図である。
【図３】図３は、第１の実施の形態に係るシュレッダー装置の内部構造を示す図である。
【図４】図４は、第１の実施の形態に係るプリンタ装置の制御系を示すブロック図である。
【図５】図５（ａ）は、第１及び第２の紙指紋データ取得手段３０１Ａ，３０１Ｂによる紙指紋データの読取位置を示す図、図５（ｂ）は、紙指紋データの一例を示す図である。
【図６】図６は、第１の実施の形態に係るシュレッダー装置の制御系を示すブロック図である。
【図７】図７は、第１の実施の形態に係るプリンタ装置の動作を示すフローチャートである。
【図８】図８は、第１の実施の形態に係るシュレッダー装置の動作を示すフローチャートである。
【図９】図９は、本発明の第２の実施の形態に係るプリンタ装置の制御系を示すブロック図である。
【図１０】図１０は、本発明の第２の実施の形態に係るシュレッダー装置の制御系を示すブロック図である。
【図１１】図１１は、第２の実施の形態に係るプリンタ装置の動作を示すフローチャートである。
【図１２】図１２は、第２の実施の形態に係るシュレッダー装置の動作を示すフローチャートである。
【図１３】図１３は、本発明の第３の実施の形態に係る画像形成システムが適用されたプリンタシステムのブロック図である。
【図１４】図１４は、本発明の第３の実施の形態に係るプリンタ装置の制御系を示すブロック図である。
【図１５】図１５は、第３の実施の形態に係るシュレッダー装置の制御系を示すブロック図である。
【図１６】図１６は、第３の実施の形態に係るプリンタ装置の動作を示すフローチャートである。
【図１７】図１７は、第３の実施の形態に係るシュレッダー装置の動作を示すフローチャートである。
【符号の説明】
【０１１１】
１  プリンタシステム
２  上位装置
３  プリンタ装置
４  シュレッダー装置
３０  感光体ドラム
３１  帯電器
３２  光ビーム走査部
３３  多色現像器
３３Ｙ，３３Ｍ，３３Ｃ，３３Ｋ  現像器
３４  転写ベルト
３５  用紙トレイ
３６  用紙搬送路
３７Ａ，３７Ｂ  読取部
３８  定着器
３８ａ，３８ｂ  ローラ
３９  プリンタコントローラ
３９ａ  バッファメモリ
４０  用紙搬送路
４１Ａ，４１Ｂ  搬送ローラ
４２  読取部
４３  用紙屑収容部
４４  シュレッダーコントローラ
５０  読取位置
５１  読取領域
５２  小領域
３００  セキュリティジョブ受付手段
３０１Ａ，３０１Ｂ  紙指紋データ取得手段
３０２  紙指紋データ格納手段
３０３  紙指紋データ保持手段
３０４  画像定着手段
３０５Ａ，３０５Ｂ  紙指紋データ照合手段
３０６  用紙排出確認手段
３０７  ジャム検知手段
３０８  用紙データ受信手段
３０９  裁断完了判定手段
３１０  ジャムリカバリ手段
３１１  未排出データ取得手段
３１２  未排出データ送信手段
３１３  判定ステイタス受信手段
３１４  プリンタＩＤメモリ
３７０  発光器
３７１  受光器
４００  オートフィーダー部
４００ｂ  フィードローラ
４００ａ  受け板
４０１  紙指紋データ取得手段
４０２  紙指紋データ格納手段
４０３  紙指紋データ保持手段
４０４  裁断部
４０４ａ，４０４ｂ  回転刃
４０５  用紙データ取得手段
４０６  用紙データ送信手段
４１０  未排出データ受信手段
４１１  未排出データ格納手段
４１２  紙指紋データ照合手段
４１３  紙指紋データ更新手段
４１４  未排出用紙裁断完了判定手段
４１５  判定ステイタス送信手段
４１６  未排出データ受信手段
４１７  プリンタＩＤ及び未排出データ受信手段
４１８  データ格納手段
４２０  発光器
４２１  受光器
Ｐ  用紙
【図１】
2009058748.tif 000003
【図２】
2009058748.tif 000004
【図３】
2009058748.tif 000005
【図４】
2009058748.tif 000006
【図５】
2009058748.tif 000007
【図６】
2009058748.tif 000008
【図７】
2009058748.tif 000009
【図８】
2009058748.tif 000010
【図９】
2009058748.tif 000011
【図１０】
2009058748.tif 000012
【図１１】
2009058748.tif 000013
【図１２】
2009058748.tif 000014
【図１３】
2009058748.tif 000015
【図１４】
2009058748.tif 000016
【図１５】
2009058748.tif 000017
【図１６】
2009058748.tif 000018
【図１７】
2009058748.tif 000019